(57)【特許請求の範囲】
【請求項１】
本管に固定して分岐するサドル付分水栓の給水用分岐部に拡径部を形成し、この拡径部の内周に装着した環状のパッキンで給水管の外周面を密封シールし、かつ拡径部の外周を袋ナットで締付けて給水管を接続するサドル付分水栓の継手であって、前記拡径部とパッキンの間に、外周にシール部材を有し、かつ適宜の厚みを有する環状アダプタを装着して小さい呼び径の給水管を接続できるようにしたことを特徴とするサドル付分水栓の継手の接続方法。
【発明の詳細な説明】
【０００１】
【発明の属する技術分野】
本発明は、サドル付分水栓の継手の接続方法に関し、特に、サドル付分水栓の分岐口に一体的に設けた伸縮可撓式のメカニカル継手の接続方法に関する。
【０００２】
【従来の技術】
サドル付分水栓は、本管から不断水の状態で給水管に分岐させるものであり、この分水栓の内部に止水機構部を設け、本管の穿孔口から止水機構部を介して分岐口に分岐し、この分岐口に給水管を接続するようにしている。
【０００３】
この場合、給水管の呼び径は、φ１３〜２５mm又はφ３０〜５０mmと各種の径があるため、分水栓の止水機構部を各呼び径毎に用意しておき、所定の呼び径の止水機構部を有する分水栓を用いて分岐するという方法が一般的に実施されている。
【０００４】
また、図４に示すように、分水栓の分岐口１に継手本体２の一端部を螺着し、この継手本体２の他端部に設けた拡開部３にパッキン４を装着し、更に、食い込み部材５を介して袋ナット６で締付けて給水管７を接続するようにした継手方式も知られている。
【０００５】
更に、分水栓の分岐口に一体的に伸縮可撓式のメカニカル継手を設け、この継手で、例えばステンレス鋼鋼管等の薄肉管を接続する方式も開発されている。
【０００６】
【発明が解決しようとする課題】
しかしながら、給水管の呼び径毎に、対応する止水機構部を内蔵した分水栓を用意すると、例えば６サイズで６倍の品種数になり、生産上、多大な投資が必要になるばかりでなく、管理面が面倒になる。
【０００７】
また、サドル付分水栓を施工後、一定期間経過した後に、水道の需要が増加して給水管の径を大きくする必要が生じるが、この場合、サドル分水栓の分岐口径を大きくするには、既存の分水栓を撤去して穿孔穴を拡大するか、或は、既存の分水栓を閉栓し、その近傍に新しい呼び径のサドル分水栓を取付ける必要があり、このような場合、多大な費用を要した。
【０００８】
また、図４における継手方式では多サイズに対応するために、継手本体２を異径継手にして、給水管７の呼び径に対応した数だけの継手部品を多種類用意する必要があり、そのため、構造が複雑になり、シール部位も増大する等の問題点を有していた。
【０００９】
一方、分水栓の分岐口に一体的に伸縮可撓式のメカニカル継手を設ける方式は、耐震性、施工性並びにコスト面から有効であるが、この場合も給水管の呼び径に対応した数だけ継手部品を必要とし、そのため、流通上、保管上、管理が面倒であり、分岐口径を極力少ない数のサイズに集約したいという要望がある。
【００１０】
本発明は、上記の実情に鑑みて開発したものであり、少ない部品点数でサイズ変更が容易なサドル付分水栓の継手を提供することにある。
【００１１】
【課題を解決するための手段】
上記の目的を達成するため、本発明は、本管に固定して分岐するサドル付分水栓の給水用分岐部に拡径部を形成し、この拡径部の内周に装着した環状のパッキンで給水管の外周面を密封シールし、かつ拡径部の外周を袋ナットで締付けて給水管を接続するサドル付分水栓の継手であって、前記拡径部とパッキンの間に、外周にシール部材を有し、かつ適宜の厚みを有する環状アダプタを装着して小さい呼び径の給水管を接続できるようにしたサドル付分水栓の継手の接続方法である。
【００１２】
【発明の実施の形態】
本発明におけるサドル付分水栓の継手の実施形態を図１〜図３に従って説明する。
図１において、水道用本管１０の穿孔口１１にリング状パッキン１２を介してサドル１３を図示しないボルトナットで取付け、このサドル１３に分水栓１４を図示のようなねじ込み方式、又はフランジ結合方式で固定している。
【００１３】
また、分水栓１４の内部には、止水機構部１５を設けており、この止水機構部１５は、三方口１６ａを有するボール１６を一対のボールシート１７で支受けし、このボール１６をステム１８により回動自在に設け、更に、分水栓１４の上部には、穿孔具等を挿入するための袋ナット１９ａで被蓋した取付口１９を設けている。なお、止水機構部１５は、ボール式以外にコック式等他の止水機構であっても良い。
【００１４】
更に、止水機構部１５の筒形状の給水用分岐部２０の開口側端部に拡径部２１を形成している。この拡径部２１は、内周面に開口側に拡がったテーパ面２１ａを設けた構造であり、この拡径部２１の外周には、おねじ部２２を形成している。
【００１５】
また、拡径部２１の内周にテーパ面２３ａを有するゴム、合成樹脂等の材料で成形した環状のパッキン２３を装着し、パッキン２３のテーパ面２３ａと拡径部２１のテーパ面２１ａが密接し、パッキン２３で給水管２４の外周面を密封シールするように設ける。
【００１６】
また、袋ナット２５のめねじ部２５ａを拡径部２１のおねじ部２２に螺合し、袋ナット２５の内周面に装着した複数個の小球２６ａを有するリング状の食い込み部材２６で、例えば、ステンレス鋼鋼管等の薄肉状の給水管２４の外周面に食い込ませて給水管２４の引き抜きを防止している。本例による食い込み部材２６は、樹脂で形成したリング状の部材２６の内周面に多数の小球２６ａを均等に埋設し、小球２６ａは部材２６の内周面より求心方向に突出させ、しかも小球同志の間に部材２６の軸方向に沿って交互に割り溝を設けて部材２６を縮径させて、食い込み部材２６がより給水管２４の外周面へ食い込むようにしている。
この食い込み部材２６は、小球２６ａ方式以外の構造であっても良く、各種のものを用いることができる。
【００１７】
また、図中２７は、環状アダプタであり、この環状アダプタは、適宜の厚みを有し、先端に拡大筒部２７ａを中間にテーパ部２７ｂを、また、後端に縮径部２７ｃを一体に形成し、外周面にＯリング等のシール部材２８を装着して分岐部２０の拡径部２１内周面を密封シールするようにしている。
この環状アダプタ２７は、２サイズ選択可能であるが、厚さの異なる等、複数のアダプタを用意すれば、多サイズにも対応することができる。
なお、図中２９はＯリング、３０はワッシャ、３１はダストシール材である。
【００１８】
次に、上記の実施形態の作用例を説明する。
図１及び図２に示すように、呼び径ｄの給水管２４をサドル付分水栓１４の給水用分岐部２０に接続する場合、分岐部２０の拡径部２１の内周面にシール部材２８を有する環状アダプタ２７とこのアダプタ２７の内周面に環状パッキン２３を装着し、一方、給水管２４には、食い込み部材２６、Ｏリング２９、ワッシャ３０を装着し、かつ袋ナット２５を装入し、次いで、給水管２４の先端部をパッキン２３に挿入して袋ナット２５のめねじ部２５ａを拡径部２１のおねじ部２１ａにねじ込んで締付けると、食い込み部材２６が給水管２４の外周面に求心方向に食い込むと共に、パッキン２３のテーパ面２３ａとアダプタ２７のテーパ部２７ｂを拡径部２１のテーパ面２１ａとが相互に締付けられて密封シールすることにより、確実に接続される。
【００１９】
一方、給水栓１４を施工後、水道水の需要が増加して給水管２４の呼び径を大きくする必要のある場合、サドル付分水栓１４はそのままで、袋ナット２５を緩めて図２に示す呼び径ｄの給水管２４を外して環状アダプタ２７とパッキン２３′を取り外した後に呼び径Ｄに対応するパッキン２３′を拡径部２１内周に挿入し、図２の呼び径ｄより大きい呼び径Ｄの給水管２４′を挿入し、対応したサイズの複数の小球２６ａ′を有する食い込み部材２６′や袋ナット２５′等を装着して袋ナット２６′のめねじ部２５ａ′を拡径部２１のおねじ部２１ａにねじ込んで締付けると、食い込み部材２６′が給水管２４′の外周面に求心方向に食い込み、パッキン２３′のテーパ面２３ａ′と拡径部２１のテーパ面２１ａとが密封シールすることにより確実に接続される。従って、太い径Ｄ或は細い径ｄのサイズの給水管２４′を交互に取り換えて接続することができる。
【００２０】
本例は、ステンレス鋼鋼管のメカニカル継手で分岐する場合について説明したが、これに限ることなく、その他の管種やその他の構造で構成されるメカニカル継手でも良い。
【００２１】
【発明の効果】
従って、本発明によると、サドル付分水栓を取り換えることなく、そのままにして、給水管の呼び径の大小に応じて少ない部品点数で接続することが可能となり、しかも、耐震性、施工性はもとよりコスト的にも有利な径落し構造を持った継手を提供することができる。
【図面の簡単な説明】
【図１】本発明におけるサドル付分水栓の一部切欠き断面図である。
【図２】図１の部分拡大図である。
【図３】図２における環状アダプタを取り外して接続した部分断面図である。
【図４】従来例のサドル付分水栓の部分断面図である。
【符号の説明】
２０  給水用分岐部
２１  拡径部
２３、２３′  パッキン
２４、２４′  給水管
２５、２５′  袋ナット
２７  アダプタ
２８シール部材
【図１】
0003730034.tif 000002
【図２】
0003730034.tif 000003
【図３】
0003730034.tif 000004
【図４】
0003730034.tif 000005